(57)【要約】  四肢の温度は、四肢に温度受容器が存在することによって身体の温度調整の重要な因子である。脳は、これらの温度受容器からの信号を環境条件の指標として使用し、これに従って反応する。四肢の熱モニタリング及び四肢温度の調整は、体温の制御において有用であり、多くの環境条件において身体温度を最適にする。着用型物品などの装置、及び四肢の温度をモニタする装置が、モニタした温度に応答して四肢の温度を調整する。【選択図】図１
2018509532.tif 000002
【特許請求の範囲】
【請求項１】
着用型物品であって、
着用型物品本体と、
前記着用型物品本体上又は前記着用型物品本体内に位置して人間の四肢の温度を測定し、前記人間の四肢の前記温度を示す温度信号を送信するように構成された少なくとも１つの温度センサと、
前記人間の四肢に隣接して前記着用型物品本体上又は前記着用型物品本体内に位置し、各々が制御信号を受け取り、該制御信号に基づいて前記人間の四肢の温度修正を行うように構成された複数の温度修正装置と、
前記温度信号を受け取り、該温度信号に基づいて前記人間の四肢が加熱又は冷却を必要としているかどうかを判定し、前記制御信号を前記温度修正装置に自動的に送信するように構成されたプロセッサと、
を備えることを特徴とする着用型物品。
【請求項２】
前記温度修正装置は、前記人間の四肢の冷却又は加熱を自動的に行うように前記プロセッサによって制御される熱電デバイスである、
請求項１に記載の着用型物品。
【請求項３】
前記人間の四肢は手であり、前記着用型物品は手袋である、
請求項１に記載の着用型物品。
【請求項４】
前記複数の温度修正装置のうちの少なくとも１つは、少なくとも指に接して前記手袋上に位置する、
請求項３に記載の着用型物品。
【請求項５】
前記複数の温度修正装置は、少なくとも掌に接して前記手袋上に位置する、
請求項３に記載の着用型物品。
【請求項６】
前記複数の温度修正装置は、少なくとも前記手の甲に接して前記手袋上に位置する、
請求項３に記載の着用型物品。
【請求項７】
前記人間の四肢は足であり、前記着用型物品はシューズである、
請求項１に記載の着用型物品。
【請求項８】
前記複数の温度修正装置のうちの少なくとも１つは、少なくとも足指に接して前記シューズ上に位置する、
請求項７に記載の着用型物品。
【請求項９】
前記複数の温度修正装置は、少なくとも足裏に接して前記シューズ上に位置する、
請求項７に記載の着用型物品。
【請求項１０】
前記複数の温度修正装置は、少なくとも前記足の甲に接して前記シューズ上に位置する、
請求項７に記載の着用型物品。
【請求項１１】
前記人間の四肢は足であり、前記着用型物品はソックスである、
請求項１に記載の着用型物品。
【請求項１２】
前記複数の温度修正装置のうちの少なくとも１つは、少なくとも足指に接して前記ソックス上に位置する、
請求項１１に記載の着用型物品。
【請求項１３】
前記複数の温度修正装置は、少なくとも足裏に接して前記ソックス上に位置する、
請求項１１に記載の着用型物品。
【請求項１４】
前記複数の温度修正装置は、少なくとも前記足の甲に接して前記ソックス上に位置する、
請求項１１に記載の着用型物品。
【請求項１５】
シューズ挿入体又はソックス挿入体をさらに含む、
請求項１に記載の着用型物品。
【請求項１６】
前記複数の温度修正装置のうちの少なくとも１つは、少なくとも足指に接して前記挿入体上に位置する、
請求項１５に記載の着用型物品。
【請求項１７】
前記複数の温度修正装置は、少なくとも足裏に接して前記挿入体上に位置する、
請求項１５に記載の着用型物品。
【請求項１８】
前記複数の温度修正装置は、少なくとも前記足の母趾球に接して前記挿入体上に位置する、
請求項１５に記載の着用型物品。
【請求項１９】
前記着用型物品本体上に位置する電源をさらに含む、
請求項１に記載の着用型物品。
【請求項２０】
別個の電子装置と通信するように構成されたトランシーバ、受信機又は送信機のうちの１つをさらに含む、
請求項１に記載の着用型物品。
【請求項２１】
前記別個の電子装置は、前記複数の温度修正装置の動作を手動で制御するように構成される、
請求項２０に記載の着用型物品。
【請求項２２】
前記着用型物品の周囲温度を示す信号を前記プロセッサに提供するように構成された周囲温度信号を含む、
請求項１に記載の着用型物品。
【請求項２３】
前記複数の温度修正装置の制御は、前記周囲温度信号に基づいて調整される、
請求項２２に記載の着用型物品。
【請求項２４】
前記四肢は手であり、前記周囲温度センサは指先に位置する、
請求項２２に記載の着用型物品。
【請求項２５】
前記四肢は足であり、前記周囲温度センサは足指上又はその付近に位置する、
請求項２２に記載の着用型物品。
【請求項２６】
着用型物品であって、
着用型物品本体と、
前記着用型物品本体上又は前記着用型物品本体内に位置して人間の四肢の温度を測定し、前記人間の四肢の前記温度を示す温度信号を送信するように構成された少なくとも１つの温度センサと、
前記人間の四肢に隣接して前記着用型物品本体上又は前記着用型物品本体内に位置し、各々が制御信号を受け取り、該制御信号に基づいて前記人間の四肢の温度修正を行うように構成された複数の温度修正装置と、
前記温度信号を受け取り、該温度信号に基づいて前記人間の四肢が加熱又は冷却を必要としているかどうかを判定し、前記温度信号に少なくとも部分的に基づいて前記温度修正装置を制御するように構成されたプロセッサと、
内部空間と、
前記内部空間に隣接して位置する複数の空気室と、
空気ポンプと、
前記空気ポンプを前記複数の空気室の各々に接続する複数の通路と、
を備え、各温度修正装置は、１つの空気室内に位置し、前記空気ポンプは、前記空気室内に空気を圧送して各温度修正装置を前記内部空間に向かう方向に動かして、前記内部空間の容積を減少させるように構成される、
ことを特徴とする着用型物品。
【請求項２７】
前記温度修正装置は、前記人間の四肢の冷却又は加熱を自動的に行うように前記プロセッサによって制御される熱電デバイスである、
請求項２６に記載の着用型物品。
【請求項２８】
前記人間の四肢は手であり、前記着用型物品は手袋である、
請求項２５に記載の着用型物品。
【請求項２９】
前記複数の温度修正装置のうちの少なくとも１つは、少なくとも指に接して前記手袋上に位置する、
請求項２８に記載の着用型物品。
【請求項３０】
前記複数の温度修正装置は、少なくとも掌に接して前記手袋上に位置する、
請求項２８に記載の着用型物品。
【請求項３１】
前記複数の温度修正装置は、少なくとも前記手の甲に接して前記手袋上に位置する、
請求項２８に記載の着用型物品。
【請求項３２】
前記人間の四肢は足であり、前記着用型物品はシューズである、
請求項２６に記載の着用型物品。
【請求項３３】
前記複数の温度修正装置のうちの少なくとも１つは、少なくとも足指に接して前記シューズ上に位置する、
請求項３２に記載の着用型物品。
【請求項３４】
前記複数の温度修正装置は、少なくとも足裏に接して前記シューズ上に位置する、
請求項３２に記載の着用型物品。
【請求項３５】
前記複数の温度修正装置は、少なくとも前記足の甲に接して前記シューズ上に位置する、
請求項３２に記載の着用型物品。
【請求項３６】
前記人間の四肢は足であり、前記着用型物品はソックスである、
請求項２６に記載の着用型物品。
【請求項３７】
前記複数の温度修正装置のうちの少なくとも１つは、少なくとも足指に接して前記ソックス上に位置する、
請求項３６に記載の着用型物品。
【請求項３８】
前記複数の温度修正装置は、少なくとも足裏に接して前記ソックス上に位置する、
請求項３６に記載の着用型物品。
【請求項３９】
前記複数の温度修正装置は、少なくとも前記足の甲に接して前記ソックス上に位置する、
請求項３６に記載の着用型物品。
【請求項４０】
シューズ又はソックスと、前記シューズ又は前記ソックス内に位置することができる挿入体とをさらに含む、
請求項２６に記載の着用型物品。
【請求項４１】
前記複数の温度修正装置のうちの少なくとも１つは、少なくとも足指に接して前記挿入体上に位置する、
請求項４０に記載の着用型物品。
【請求項４２】
前記複数の温度修正装置は、少なくとも足裏に接して前記挿入体上に位置する、
請求項４０に記載の着用型物品。
【請求項４３】
前記複数の温度修正装置は、少なくとも前記足の母趾球に接して前記挿入体上に位置する、
請求項４０に記載の着用型物品。
【請求項４４】
前記着用型物品本体上に位置する電源をさらに含む、
請求項２６に記載の着用型物品。
【請求項４５】
別個の電子装置と通信するように構成されたトランシーバ、受信機又は送信機のうちの１つをさらに含む、
請求項２６に記載の着用型物品。
【請求項４６】
前記別個の電子装置は、前記複数の温度修正装置の動作を手動で制御するように構成される、
請求項４５に記載の着用型物品。
【請求項４７】
前記着用型物品の周囲温度を示す信号を前記プロセッサに提供するように構成された周囲温度信号を含む、
請求項２６に記載の着用型物品。
【請求項４８】
前記複数の温度修正装置の制御は、前記周囲温度信号に基づいて調整される、
請求項４７に記載の着用型物品。
【請求項４９】
前記四肢は手であり、前記周囲温度センサは指先に位置する、
請求項４７に記載の着用型物品。
【請求項５０】
前記四肢は足であり、前記周囲温度センサは足指上又はその付近に位置する、
請求項４７に記載の着用型物品。
【発明の詳細な説明】
【技術分野】
【０００１】
本開示は、人間の四肢の温度をモニタし、操作し、又は変化させるように構成された装置に関する。
【背景技術】
【０００２】
人間は、例えば暖房システム及び空調システムなどの環境制御を通じ、温度に適した衣服を着用し、加熱用又は冷却用ブランケット及びパッドを使用し、冷たい又は温かい飲料を摂取することによって体温を調整することができる。体温の測定は、口腔体温計、腋窩体温計、額体温計又は直腸体温計を用いて個別に行われる。
【発明の概要】
【課題を解決するための手段】
【０００３】
本開示は、着用型物品本体と、少なくとも１つの温度センサと、複数の温度修正装置と、プロセッサとを含む着用型物品を提供する。少なくとも１つの温度センサは、着用型物品本体上又は着用型物品本体内に位置して人間の四肢の温度を測定し、人間の四肢の温度を示す温度信号を送信するように構成される。複数の温度修正装置は、人間の四肢に隣接して着用型物品本体上又は着用型物品本体内に位置する。複数の温度修正装置の各温度修正装置は、制御信号を受け取り、制御信号に基づいて人間の四肢の温度修正を行うように構成される。プロセッサは、温度信号を受け取り、温度信号に基づいて人間の四肢が加熱又は冷却を必要としているかどうかを判定し、制御信号を温度修正装置に自動的に送信するように構成される。
【０００４】
以下の例示的な実施形態の詳細な説明を添付図面と併せて読めば、本開示の実施形態の利点及び特徴がさらに明らかになるであろう。
【図面の簡単な説明】
【０００５】
【図１】本開示の例示的な実施形態による右手用温熱手袋の図である。
【図２】関連する手の外観との関係を示すように手袋の外観を破線で示す図１の温熱手袋の図である。
【図３】本開示の例示的な実施形態による左手用温熱手袋の図である。
【図４】関連する手の外観との関係を示すように手袋の外観を破線で示す図３の温熱手袋の図である。
【図５】本開示の例示的な実施形態による温熱シューズの図である。
【図６】関連する足の外観との関係を示すようにシューズの外観を破線で示す図５の温熱シューズの図である。
【図７】関連する足を破線で示す図５のシューズの底面図である。
【図８】関連する足の外観との関係を示すようにシューズの外観を破線で示す図５の温熱シューズの底面図である。
【図９】本開示の例示的な実施形態による温熱ソックスの図である。
【図１０】関連する足の外観との関係を示すようにソックスの外観を破線で示す図９の温熱ソックスの図である。
【図１１】関連する足を破線で示す図９のソックスの底面図である。
【図１２】関連する足の外観との関係を示すようにソックスの外観を破線で示す図９の温熱ソックスの底面図である。
【図１３】本開示の例示的な実施形態による挿入体の図である。
【図１４】関連する足を破線で示す図１３の挿入体の底面図である。
【図１５】関連する足の外観との関係を示すように挿入体の外観を破線で示す図１３の挿入体の図である。
【図１６】本開示の例示的な実施形態による手袋の図である。
【図１７】本開示の別の例示的な実施形態による手袋の図である。
【図１８】本開示の例示的な実施形態によるシューズの図である。
【図１９】本開示の別の例示的な実施形態による手袋の図である。
【図２０】図１９の手袋の線２０−２０に沿った断面図である。
【図２１】手袋内に指を配置した図２０の断面図である。
【図２２】本開示のさらに別の例示的な実施形態による手袋の図である。
【図２３】図２２の手袋の一部の図である。
【図２４】手袋内に手を配置した図２２の手袋の断面図である。
【図２５】本開示のさらに別の例示的な実施形態による手袋の図である。
【図２６】本開示のさらに別の例示的な実施形態による手袋及び腕時計の図である。
【図２７】本開示の例示的な実施形態によるソックスの図である。
【図２８】ソックスの内部特徴とソックス内に位置する足とを示すようにソックスの材料を除去した図２８のソックスの底面図である。
【図２９】本開示の例示的な実施形態による温度修正処理を示す図である。
【発明を実施するための形態】
【０００６】
人体の温度調整は、脳による情報の収集方法と、情報への反応方法とに起因して複雑である。出願人は、実験及び分析を通じて、四肢に温度受容器が存在することにより、四肢の温度が身体の温度調整の重要な因子であると理解した。脳は、これらの温度受容器からの信号を環境条件の指標として使用し、これに従って反応する。例えば手が冷たければ、脳は身体全体が冷たいと考え、震えなどを通じて熱を発生させ始める。逆に手が熱ければ、脳はまるで身体全体が熱いかのように反応し、手自体と共に身体の他の部位も冷やそうと試みる。出願人は、自らの実験を通じて、四肢の熱モニタリング及び四肢温度の調整が身体温度及び脳温度の制御において有用であり、多くの環境条件において身体温度及び脳温度を最適にすると認識した。本開示は、着用型物品などの装置と、四肢の温度をモニタし、モニタされた温度に応答して四肢の温度を調整する装置とを提供する。
【０００７】
身体の、特に四肢の冷却又は加温を行う先行技術の試みでは、身体の皮膚表面、特に四肢の皮膚表面に低温又は高温の装置を適用すると不快感、さらには痛みが生じるという理由で有用な装置を提供することができなかった。医師である出願人は、皮膚が局所的低温面又は高温面に曝された時に痛みを抑制するメカニズムを突き止める実験を認識して実行した。
【０００８】
痛みを生じる熱刺激では、いくつかの熱求心性線維が侵害受容系を刺激すると考えられる。出願人は、異なる感覚を伝える異なる神経線維間の感覚的相互作用が抑制作用をもたらすことがあり、一次触覚求心性線維を特異的に刺激した結果、特別な触覚的幾何学が温度感覚（全ての範囲の高温及び低温、熱さ又は冷たさ）を低下させると認識し、実験を行った。出願人は、低流量及び低圧のマイクロポンプを用いて（抵抗性及び熱電性などの）温度修正装置に垂直圧力を加えた機械的刺激受容が、４３℃などの高レベル熱刺激又は１５℃などの低レベル熱刺激にまで至る熱刺激中に痛みを抑制するとさらに認識し、実験を行った。
【０００９】
出願人の研究では、温度修正装置を動かさずに皮膚表面に接して載せた時には、熱刺激（４０℃の高温又は１９℃の低温）中に痛みが生じることが示された。しかしながら、皮膚表面に対してほぼ垂直であることを意味する垂直の動きを温度修正装置に付与すると、動いている装置でも又は静止した装置でも、温度修正装置の温度は同じ温度レベルであるにも関わらず痛みが抑制された。この実験では、皮膚表面をわずかに凹ませる垂直の動きが不快感を抑制し、皮膚表面に直接熱刺激を加えた時に生じる痛みを抑えることが示された。
【００１０】
最初に、熱電デバイス、ヒータ、及びいずれかの温度修正装置を、基準温度と考えられる３３℃〜３４℃の温度に達してこの温度を維持するように適合させる。好ましくは末節骨及び中節骨の領域に、ペルチェ素子などの熱電デバイス及びいずれかの温度修正装置を配置する。好ましくは指の付け根と、指と掌との間の移行部に隣接する掌とに（温度修正装置から離して）温度センサを配置し、指の付け根又は掌の皮膚温を測定することが好ましい。熱電デバイスは、熱電デバイスの温度を示す温度センサを含むことができると理解されたい。
【００１１】
図１及び図２は、全体を１０で示す本開示の例示的な実施形態による温熱手袋の形の着用型物品の図である。手袋１０は、皮革などの天然材料、又はニトリル、ラテックス、ナイロンなどの人工材料で形成できる手袋本体１２と、１又は２以上の温度センサ１４及び１６と、複数の温度修正装置１８とを含む。温度センサ１４及び１６は、熱電堆又は熱電対とすることができ、１又は２以上の静脈、動脈又は血管２２上又はその付近などの、熱の流れ及び除去に敏感な四肢領域に配置することができる。温度センサという用語は、熱エネルギーを測定し、測定した熱エネルギーを人体の温度を示す示度数に変換するように構成されたあらゆる装置の総称として使用していると理解されたい。従って、温度センサを表す他の用語は、熱センサ及び高温センサである。温度修正装置１８は、加熱及び冷却を行うように構成された双方向熱電デバイス、抵抗ヒータ、流体システム、又は温度を変化させるように構成された他の装置とすることができる。
【００１２】
手袋１０は、バッテリの形を取ることができる電源３２と、コントローラ又はプロセッサ３４と、ラップトップ、腕時計、携帯電話機又はタブレットとすることができる別個の電子装置３８と通信するためのトランシーバ、送信機又は受信機３６とをさらに含む。
【００１３】
温度修正装置１８は、温度修正装置１８への又は温度修正装置１８からの手２０全体を通じた熱の流れを最適化するように、親指を含むことができる指２４の領域に加え、１又は２以上の静脈、動脈又は血管２２に近い手２０の領域内に配置することができる。図１及び図２に示す温度修正装置１８の構成、並びに本開示全体を通じて示す他の温度修正装置は例示であり、このような装置には無数の位置及び構成が存在すると理解されたい。また、このような装置は、手２０の掌及び手２０の甲に隣接する領域に配置することができると理解されたい。
【００１４】
手袋１０には、いずれも高血流領域に配置された温度センサ１４及び１６を示しているが、温度センサは、指２４に隣接する領域を含め、手袋１０全体を通じて配置することができると理解されたい。
【００１５】
動作時には、温度センサ１４又は１６などの少なくとも１つの温度センサが、プロセッサ３４に温度測定値を表す信号を送る。プロセッサ３４は、例えば指の先端付近又は指の爪に隣接する領域内の手袋の指の外面上などの、手袋１０の外面上に配置できる周囲温度センサ４０を通じた環境条件と手２０の温度とを考慮して、手２０及び／又は指２４の温度修正が必要であるかどうかを判断する。プロセッサ３４は、手２０の温度条件が所定の手の温度、或いは例えば摂氏５度の周囲温度と摂氏３０度の手の温度などの所定の温度の組み合わせよりも冷たい又は暖かいと判断した場合、手袋１０内の熱の発生を自動的に引き起こすことができる。手袋１０は、全ての温度修正装置１８、個々の温度修正装置１８又は温度修正装置１８のグループを制御するように構成できると理解されたい。このようなグループは、密度、すなわち手２０全体に広がる温度修正装置１８の一部によって構成することも、或いは手２０の親指の付け根又は掌などの位置によって構成することもできる。手袋１０は、プロセッサ３４を介して制御することができるが、別個の電子装置３８がトランシーバ３６を介してデータを受け取ってトランシーバ３６に制御信号を送信し、このデータがプロセッサ３４に送信されるように構成することもできる。その後、これらの信号を使用して温度修正装置１８の動作を変更する。例えば、ユーザは、自分の手が冷たいと判断すると、別個の電子装置３８に内蔵されたプログラム又はモジュールを使用して温度修正装置１８の温度を手動で変更することができる。周囲温度センサ４０は、手袋１０から離れて位置することもできると理解されたい。例えば、周囲温度センサ４０は、携帯電話機又は腕時計、外部温度計及びその他の装置上又は装置内に位置することができる。別の実施形態では、手袋１０が、ユーザに最も近い地域の現在の周囲温度を含む情報又は信号を気象サービスから無線で受け取ることができる。別の実施形態では、周囲温度が有線接続によって遠隔装置から提供される。
【００１６】
図３及び図４は、全体を１００で示す本開示の例示的な実施形態による温熱手袋の図である。手袋１００は、皮革などの天然材料、又はニトリル、ラテックス、ナイロンなどの人工材料で形成できる手袋本体１０２と、１又は２以上の温度センサ１０４、１０６及び１０８と、複数の温度修正装置１１０とを含む。温度センサ１０４、１０６及び１０８は、熱電堆又は熱電対とすることができる。温度修正装置１１０は、加熱及び冷却を行うように構成された双方向熱電デバイス、抵抗ヒータ、流体システム、又は温度を変化させるように構成された他の装置とすることができる。
【００１７】
手袋１００は、電源３２と、コントローラ又はプロセッサ３４と、別個の電子装置３８と通信するためのトランシーバ、送信機又は受信機３６とをさらに含む。
【００１８】
温度修正装置１１０は、温度修正装置１１０への又は温度修正装置１１０からの手２０全体を通じた熱の流れを最適化するように、指２４の領域に加え、１又は２以上の静脈、動脈又は血管２２に近い手２０の領域内に配置することができる。図３及び図４に示す温度修正装置１１０の構成は例示であり、このような装置には無数の位置及び構成が存在すると理解されたい。また、このような装置は、手２０の掌及び手２０の甲に隣接する領域に配置することができると理解されたい。
【００１９】
手袋１００には、温度センサ１０４、１０６及び１０８を示しているが、温度センサは、指２４に隣接する領域を含め、手袋１０全体を通じて配置することができると理解されたい。
【００２０】
動作時には、温度センサ１０４、１０６又は１０８などの少なくとも１つの温度センサが、プロセッサ３４に信号を送る。プロセッサ３４は、例えば周囲温度センサ４０を通じた環境条件と手２０の温度とを考慮して、手２０及び／又は指２４の温度修正が必要であるかどうかを判断する。プロセッサ３４は、手２０の温度条件が所定の手の温度、又は手の温度と環境温度又は周囲温度との所定の組み合わせよりも冷たい又は暖かいと判断した場合、手袋１０内の熱の発生を自動的に引き起こすことができる。
【００２１】
手袋１００は、プロセッサ３４を介して制御することができるが、別個の電子装置３８がトランシーバ３６を介してデータを受け取ってトランシーバ３６に制御信号を送信し、このデータがプロセッサ３４に送信されるように構成することもできる。その後、これらの信号を使用して温度修正装置１１０の動作を変更する。例えば、ユーザは、自分の手が冷たいと判断すると、別個の電子装置３８に内蔵されたプログラム又はモジュールを使用して温度修正装置１１０の温度を手動で変更することができる。
【００２２】
図５〜図８は、全体を１５０で示す本開示の例示的な実施形態による温熱シューズの形の着用型物品の図である。シューズ１５０は、皮革などの天然材料、又はニトリル、ラテックス、ナイロンなどの人工材料で形成できるシューズ本体１５２と、１又は２以上の温度センサ１５４、１５６及び１５８と、複数の温度修正装置１６０及び１６２とを含む。温度センサ１５４、１５６及び１５８は、サーミスタ、赤外線温度計、熱電堆又は熱電対、温度変換器及び抵抗温度計などのいずれかの熱センサ又は温度センサとすることができる。温度修正装置１６０及び１６２は、加熱及び冷却を行うように構成された双方向熱電デバイス、抵抗ヒータ、流体システム、赤外線放射体、ライト、又は温度を変化させるように構成された他の装置とすることができる。
【００２３】
シューズ１５０は、電源３２と、コントローラ又はプロセッサ３４と、別個の電子装置３８と通信するためのトランシーバ、送信機又は受信機３６とをさらに含む。
【００２４】
温度修正装置１６０及び１６２は、温度修正装置１６０及び１６２への又は温度修正装置１６０及び１６２からの足１６４全体を通じた熱の流れを最適化するように、足指１６８の領域に加え、１又は２以上の静脈、動脈又は血管１６６に近い足１６４の領域内に配置することができる。図５〜図８に示す温度修正装置１６０及び１６２の構成は例示的であり、このような装置には無数の位置及び構成が存在すると理解されたい。また、このような装置は、足１６４の足裏及び足１６４の甲に隣接する領域に配置することができると理解されたい。シューズ１５０は、全ての温度修正装置１６０及び１６２、個々の温度修正装置１６０及び１６２、又は温度修正装置１６０及び１６２のグループを制御するように構成できると理解されたい。このようなグループは、密度、すなわち足１６４全体に広がる温度修正装置１６０及び１６２の一部によって構成することも、或いは足１６４の母趾球又は足１６４の足指１６８などの位置によって構成することもできる。
【００２５】
シューズ１５０には、温度センサ１５４、１５６及び１５８を示しているが、温度センサは、足指１６８に隣接する領域を含め、シューズ１５０全体を通じて配置することができると理解されたい。
【００２６】
動作時には、温度センサ１５４、１５６又は１５８などの少なくとも１つの温度センサが、プロセッサ３４に信号を送る。プロセッサ３４は、例えば足指１６８の足の爪を含む足指１６８上又は足指１６８に隣接して配置できる周囲温度センサ４０を通じた環境条件と足１６４の温度とを考慮して、足１６４及び／又は足指１６８の温度修正が必要であるかどうかを判断する。プロセッサ３４は、足１６４の温度条件が所定の足の温度又は所定の温度の組み合わせよりも冷たい又は暖かいと判断した場合、シューズ１５０内の熱の発生を引き起こすことができる。
【００２７】
シューズ１５０は、プロセッサ３４を介して制御することができるが、別個の電子装置３８がトランシーバ３６を介してデータを受け取ってトランシーバ３６に制御信号を送信し、このデータがプロセッサ３４に送信されるように構成することもできる。その後、これらの信号を使用して温度修正装置１６０及び１６２の動作を変更する。例えば、ユーザは、自分の足が冷たいと判断すると、別個の電子装置３８に内蔵されたプログラム又はモジュールを使用して温度修正装置１６０及び１６２の温度を手動で変更することができる。
【００２８】
図９〜図１２は、全体を２００で示す本開示の例示的な実施形態による温熱ソックスの形の着用型物品の図である。ソックス２００は、綿などの天然材料、又はニトリル、ラテックス、ナイロンなどの人工材料で形成できるソックス本体２０２と、１又は２以上の温度センサ２０４、２０６及び２０８と、複数の温度修正装置２１０とを含む。温度センサ２０４、２０６及び２０８は、熱電堆又は熱電対とすることができる。温度修正装置２１０は、加熱及び冷却を行うように構成された双方向熱電デバイス、抵抗ヒータ、流体システム、又は温度を変化させるように構成された他の装置とすることができる。
【００２９】
ソックス２００は、電源３２と、コントローラ又はプロセッサ３４と、別個の電子装置３８と通信するためのトランシーバ、送信機又は受信機３６とをさらに含む。
【００３０】
温度修正装置２１０は、温度修正装置２１０への又は温度修正装置２１０からの足１６４全体を通じた熱の流れを最適化するように、足指１６８の領域に加え、１又は２以上の静脈、動脈又は血管１６６に近い足１６４の領域内に配置することができる。図９〜図１２に示す温度修正装置２１０の構成は例示であり、このような装置には無数の位置及び構成が存在すると理解されたい。また、このような装置は、足１６４の足裏及び足１６４の甲に隣接する領域に配置することができると理解されたい。ソックス２００は、全ての温度修正装置２１０、個々の温度修正装置２１０、又は温度修正装置２１０のグループを制御するように構成できると理解されたい。このようなグループは、密度、すなわち足１６４全体に広がる温度修正装置２１０の一部によって構成することも、或いは足１６４の母趾球又は足１６４の足指１６８などの位置によって構成することもできる。
【００３１】
温度センサは、足指１６８に隣接する領域を含め、ソックス２００全体を通じて配置することができると理解されたい。
【００３２】
動作時には、温度センサ２０４、２０６又は２０８などの少なくとも１つの温度センサが、プロセッサ３４に信号を送る。プロセッサ３４は、例えば周囲温度センサ４０を通じた環境条件と足１６４の温度とを考慮して、足１６４及び／又は足指１６８の温度修正が必要であるかどうかを判断する。プロセッサ３４は、足１６４の温度条件が所定の足の温度又は所定の温度の組み合わせよりも冷たい又は暖かいと判断した場合、ソックス２００内の熱の発生を引き起こすことができる。
【００３３】
ソックス２００は、プロセッサ３４を介して制御することができるが、別個の電子装置３８がトランシーバ３６を介してデータを受け取ってトランシーバ３６に制御信号を送信し、このデータがプロセッサ３４に送信されるように構成することもできる。その後、これらの信号を使用して温度修正装置２１０の動作を変更する。例えば、ユーザは、自分の足が冷たいと判断すると、別個の電子装置３８に内蔵されたプログラム又はモジュールを使用して温度修正装置２１０の温度を手動で変更することができる。
【００３４】
図１３〜図１５は、全体を２５０で示す、本開示の例示的な実施形態によるシューズ又はソックス挿入体の形の着用型物品の図である。挿入体２５０は、綿などの天然材料、又はニトリル、ラテックス、ナイロンなどの人工材料で形成できる挿入体本体２０２と、１又は２以上の温度センサ２５４、２５６及び２５８と、複数の温度修正装置２６０とを含む。温度センサ２５４、２５６及び２５８は、熱電堆又は熱電対とすることができる。温度修正装置２６０は、加熱及び冷却を行うように構成された双方向熱電デバイス、抵抗ヒータ、流体システム、又は温度を変化させるように構成された他の装置とすることができる。
【００３５】
挿入体２５０は、電源３２と、コントローラ又はプロセッサ３４と、別個の電子装置３８と通信するためのトランシーバ、送信機又は受信機３６とをさらに含む。
【００３６】
温度修正装置２６０は、温度修正装置２６０への又は温度修正装置２６０からの足１６４全体を通じた熱の流れを最適化するように、足指１６８の領域に加え、１又は２以上の静脈、動脈又は血管１６６に近い足１６４の領域内に配置することができる。図１３〜図１５に示す温度修正装置２６０の構成は例示であり、このような装置には無数の位置及び構成が存在すると理解されたい。挿入体２５０は、全ての温度修正装置２６０、個々の温度修正装置２６０、又は温度修正装置２６０のグループを制御するように構成できると理解されたい。このようなグループは、密度、すなわち足１６４の足裏全体に広がる温度修正装置２６０の一部によって構成することも、或いは足１６４の母趾球又は足１６４の足指１６８などの位置によって構成することもできる。
【００３７】
温度センサは、足指１６８に隣接する領域を含め、挿入体２５０全体を通じて配置することができると理解されたい。
【００３８】
挿入体２５０は、足底部２６２と、足底部２６２から延びる舌部２６４とをさらに含む。舌部２６４は、センサ支持体２６６及びコネクタ２６８を含む。コネクタ２６８は、舌部２６４を足１６４の甲に配置し、足底部２６２を足１６４の足裏に配置できるように、可撓性又は屈曲性材料２７０を含むように構成することができる。
【００３９】
動作時には、温度センサ２５４、２５６又は２５８などの少なくとも１つの温度センサが、プロセッサ３４に信号を送る。プロセッサ３４は、例えば周囲温度センサ４０を通じた環境条件と足１６４の温度とを考慮して、足１６４及び／又は足指１６８の温度修正が必要であるかどうかを判断する。プロセッサ３４は、足１６４の温度条件が所定の足の温度又は所定の温度の組み合わせよりも冷たい又は暖かいと判断した場合、挿入体２５０内の熱の発生を引き起こすことができる。
【００４０】
挿入体２５０は、プロセッサ３４を介して制御することができるが、別個の電子装置３８がトランシーバ３６を介してデータを受け取ってトランシーバ３６に制御信号を送信し、このデータがプロセッサ３４に送信されるように構成することもできる。その後、これらの信号を使用して温度修正装置２６０の動作を変更する。例えば、ユーザは、自分の足が冷たいと判断すると、別個の電子装置３８に内蔵されたプログラム又はモジュールを使用して温度修正装置２６０の温度を手動で変更することができる。
【００４１】
図１６は、全体を２８０で示す本開示の例示的な実施形態による手袋の図である。手袋２８０には、温度センサの好ましい位置を表す一般的な位置を示す。手袋２８０は、第１の温度センサ２８２、第２の温度センサ２８４及び第３の温度センサ２８６を含む。第１の温度センサ２８２は、手袋２８０上の、例えば手袋２８０内に手が存在する場合に末節骨などの指先に隣接する位置に配置される。第２の温度センサ２８４は、手袋２８０上の、例えば手根骨などの掌に隣接する位置に配置される。第３の温度センサ２８６は、手袋２８０上の、例えば橈骨及び尺骨が手根骨に繋がる位置から距離を置いて、橈骨及び尺骨沿いの前腕の遠位部に隣接する位置に配置される。
【００４２】
図１７は、全体を２９０で示す本開示の別の例示的な実施形態による手袋の図である。手袋２９０は、Ｗｉ−Ｆｉなどの近距離場、セルラ信号などの中間場、及び遠距離場とすることができる無線送信を受け取るように構成された受信機２９２を含む。図１７は、温度センサ基地局２９４と、携帯電話機などのモバイル通信装置２９６とをさらに含む。温度センサ基地局２９４は、周囲温度を測定するように構成された熱センサ又は温度センサ２９８と、測定された周囲温度を表す信号３０２を受信機２９２に送信するように構成された送信機及びアンテナ３００とを含む。モバイル通信装置２９６は、送信機及びアンテナ３０４を含む。モバイル通信装置２９６は、内部周囲温度センサを含むことができ、或いは政府気象サービスなどの第三機関から無線で周囲温度を受け取ってこの情報を受信機２９２に送信することができる。
【００４３】
図１８は、全体を３１０で示す本開示の例示的な実施形態によるシューズの図である。シューズ３１０は、Ｗｉ−Ｆｉなどの近距離場、セルラ信号などの中間場、及び遠距離場とすることができる無線送信を受け取るように構成された受信機３１２を含む。図１８は、温度センサ基地局２９４をさらに含む。アンテナ３００は、測定された周囲温度を表す信号３０２を受信機２９２に送信する。
【００４４】
図１９は、全体を３２０で示す本開示の例示的な実施形態による手袋の図である。手袋３２０は、他の温度センサ、クロック又はタイマ３２２、及び入力装置又は入力デバイス３２４に加えて、上述した１又は２以上の温度センサ２８２、２８４及び２８６を含むことができる。クロック又はタイマ３２２は、以下でさらに詳細に説明する温度修正装置の刺激期間及び静止期間を調整するために使用することができる。入力装置３２４は、例えば以下でさらに詳細に説明するような手袋３２０の動作のための命令を入力するタッチ画面、キーパッド、１又は２以上のノブ、及び１又は２以上のボタンなどとして構成される。
【００４５】
図２０は、図１９の手袋３２０の線２０−２０に沿った断面図である。手袋３２０は、外面３２６を含む。例示的な実施形態では、外面３２６に、温度センサ２８２などの温度センサを配置することができる。手袋３２０は、手袋３２の内部空間３３２内に間隔３３０だけ突出するように隆起又は延在する温度修正装置３２８をさらに含む。温度修正装置３２８は、内部空間３３２内に間隔３３０だけ突出して内部空間３３２の容積を減少させることにより、図２１示すように指３３４と積極的に接触して指３３４に圧入部又は陥凹部３３６を生じさせるように構成される。圧入部３３６は、指３３４の機械的刺激受容を活性化させることにより、熱刺激の結果としての潜在的な痛みをさらに抑制する。
【００４６】
図２２は、全体を３４０で示す本開示の別の例示的な実施形態による手袋の図である。手袋３４０は、図２３にさらに詳細に示す高度に局在化又は分離した温度修正装置３４２の島を含む。手袋３４０は、各温度修正装置３４２を取り囲むゲル、圧縮性材料又はバネ３４４をさらに含む。ゲル３４４は、迎合的な、圧縮可能な、又は柔軟なポーチ３５２に収容することができる。ゲル３４４は、図２０に示す温度修正装置３２８と同様に、各温度修正装置３４２を手の皮膚に対して付勢又は強制する。ゲル３４４は、温度修正装置３４２を皮膚に押し付けることによって機械的刺激受容を活性化させる。この実施形態では、温度修正装置３４２が、隆起していない平坦な表面を有する。手などによってゲルを機械的に押すと、温度修正装置３４２が皮膚に押しつけられて動きを生じ、これによって機械的刺激受容器と同時に手の皮膚の熱刺激が活性化される。手袋３４０は、温度センサとすることができるセンサ３４８とプロセッサ及び電子機器３５０とに温度修正装置３４２を接続するワイヤ３４６をさらに含む。
【００４７】
図２４は、手袋内に手３５４を配置して図のページと平行な平面で切断した手袋３４０の図である。手袋３４０内の例示的な位置、とりわけ指の指節骨３５６に沿った領域内に位置するゲルパック３４４を示しており、特に骨関節３６０に沿った領域では、各ゲルパック３４４に可撓性接続部３５８が接続される。
【００４８】
図２５は、全体を３７０で示す本開示のさらに別の例示的な実施形態による手袋の図である。手袋３７０は、熱保持性材料３７４を収容する手袋裏地３７２と、熱保持性材料３７４の温度を修正する複数の温度修正装置３７６とを含む。
【００４９】
図２６は、本開示のさらに別の例示的な実施形態による、全体を３８０で示す手袋と、全体を３８２で示す別個の又は遠隔電子装置の図である。手袋３８０は、マイクロ空気式ダイヤフラムポンプとすることができる空気ポンプ３８４と、それぞれが温度修正装置３８８を収容する複数の空気区画、空気室又は空気袋３８６と、複数の空気区画３８６の各々に空気ポンプ３８４を接続する複数の空気チャネル、空気通路又は空気経路３９０と、トランシーバ３９４、１又は２以上の放射体３９８及び検出器４００を含むとともに手袋３８０の内面に配置された脈拍計及び酸素濃度計３９６、並びに１又は２以上の温度センサ４０２に接続できるプロセッサ３９２と、手袋３８０の電気装置に電力を供給する電源４０４とを含む。トランシーバ３９４は、腕時計、携帯電話機、タブレット及びコンピュータなどの遠隔電子装置３８２に手袋３８０を接続するように構成される。トランシーバ３９４は、例えばＢｌｕｅＴｏｏｔｈ（登録商標）装置又はその他の近距離場装置とすることができる。動作時には、空気ポンプ３８４が空気チャネル３９０及び空気区画３８６に加圧空気を供給することにより、空気区画３８６を加圧して膨張させる。空気区画３８５が膨張すると、各それぞれの温度修正装置３８８が、内部空間３３２、及び内部空間３３２内に配置された手に向かって動き、内部空間３３２の容積を減少させて各温度修正装置３８８を手に接触させ、図２１に示すような小さな圧入部を手に生じさせる。このような圧入部は、本明細書の他の箇所で説明した利点をもたらす。空気ポンプ３８４、空気区画３８６及び空気チャネル３９０は、流体ポンプ、流体区画、及び流体ライン又は流体チャネルに置き換えることもできると理解されたい。トランシーバ３９４によって別個の電子装置３８２との間で送信される信号は、手袋３８０の装置の制御、並びに温度、パルス及び酸素測定法を含む手袋３８０の機能に関する表示を行うために使用することができる。
【００５０】
図２７及び図２８は、全体を４１０で示す本開示の例示的な実施形態によるソックスの図である。ソックス４１０は、手袋３８０の要素と同じ要素番号を有する手袋３８０の要素を含み、ソックス４１０内に位置する足４１２は、手袋３８０内に位置する手と同じ恩恵を受ける。
【００５１】
温度修正装置及びセンサは、手袋の背側部及び／又は前部、並びに足の背面及び／又は底面に配置することができると理解されたい。
【００５２】
図２９に、全体を４２０で示す本開示の例示的な実施形態による温度修正処理を示す。処理４２０は、開始処理４２２から開始してレジスタをクリアし、装置に給電し、温度修正処理４２０のステップを実行するのに必要なその他のステップを開始することができる。開始処理４２２が完了すると、制御は開始処理４２２から（単複の）温度修正装置選択処理４２４に進む。
【００５３】
本発明の例示的な実施形態によれば、（単複の）温度修正装置選択処理４２４では、プロセッサ３４が、作動すべき（単複の）温度修正装置を選択する。次に、制御は、（単複の）温度修正装置選択処理４２４から、選択した温度修正装置の作動処理４２６に進む。
【００５４】
選択した温度修正装置の作動処理４２６では、プロセッサ３４が、装置１８、１１０、１６０、１６２、２１０及び２６０などの１又は２以上の温度修正装置を作動させる。次に、制御は、選択した温度修正装置の作動処理４２６から、温度センサ読み取り処理４２８に進む。
【００５５】
温度センサ読み取り処理４２８では、１又は２以上の温度センサを読み取って、選択された温度修正装置が３３℃〜３４℃の温度などの望ましい温度であるかどうかを判定する。次に、制御は、温度センサ読み取り処理４２８から、所望値温度判定処理４３０に進む。選択された温度修正装置が望ましい温度に達していない場合、制御は、所望値温度判定処理４３０から温度センサ読み取り処理４２８に進んで、望ましい温度に達するまで処理４２８及び４３０を継続する。望ましい温度に達すると、制御は、所望値温度判定処理４３０から所定間隔処理４３２に進む。
【００５６】
所定間隔処理４３２では、例えば５秒〜３分とすることができる所定の期間にわたって熱刺激が付与されたかどうかを判定する。１秒〜１５分の範囲の他の好ましい期間を適用することもでき、熱刺激の期間は、０．５秒〜３０分であることが最も好ましく、これらの期間は本開示の範囲に含まれる。制御は、最初の熱刺激後に、所定間隔処理４３２から温度修正装置ターンオフ処理４３４に進み、プロセッサ３４が、好ましくは１秒〜６０分の、さらに好ましくは１０秒〜３０分の、最も好ましくは３０秒〜１５分の、熱刺激が付与されない静止期間を開始する。
【００５７】
過度の刺激を避けるために、最初の熱刺激の後の熱刺激は、最初の刺激位置とは異なる指又は異なる指部分に送出することができる。一例として、人差し指と薬指の中節骨とを刺激した場合には、次の熱刺激を中指と小指又は第５指の末節骨とに付与又は送出することによって、１つの領域における反復的な熱刺激を避けることができる。この連続する非反復的な熱刺激は、掌にも足にも適用されると理解されたい。熱刺激が１つの温度修正装置から別の温度修正装置に移行又はジャンプする跳躍的熱刺激は、皮膚を休ませるとともに、皮膚温の上昇又は低下を達成しながら皮膚への熱損傷を防ぐことができる。
【００５８】
明確にすると、手又は足の熱刺激は、第１の位置における刺激、その後の休止間隔又はオフ間隔、及び同じ位置における別の熱刺激を含むことができる。熱刺激は、手又は足の第１の位置における刺激後に、第１の位置から離れた第２の位置における刺激を含むこともできる。これらの２つの選択肢を、１回の処理において組み合わせることもできる。例えば、四肢上の４つの別個の位置である第１の位置、第２の位置、第３の位置及び第４の位置について検討する。熱刺激は、第１の位置、第２の位置、第３の位置及び第４の位置に、これらの順に付与することができる。その後に再び第１の位置に、ただし熱刺激を付与しない静止期間の経過後にのみ熱刺激を加えることができる。出願人は、比較的短時間での熱刺激効果は累積し得るので、ある位置の後続の静止期間を長くすることができるとさらに認識した。また、比較的短時間で送出される熱刺激が累積し得るという同じ理由で、後続の付与における熱刺激の付与期間を短くすることもできる。本開示の文脈における比較的短時間という用語は、１秒〜少なくとも最大３０分の期間に適用される。さらに、例えば火傷、火傷による瘢痕組織などの既存の熱損傷、発熱、感染症、体温調節不全などの基礎症状を考慮する際には、このような期間を長くなるように調整することもできる。
【００５９】
温度修正装置がオフ状態になった後、制御は温度修正装置ターンオフ処理４３４から体温レベル判定処理４３６に進む。プロセッサ３４は、外部温度又は皮膚表面温度が所定のレベルに達すると、四肢の皮膚温（手又は足）を上昇又は低下させる動作を開始する。皮膚表面温度が２０℃未満に達すると、ユーザの冷覚に応じて加熱装置が自動的に又はユーザによって手動で作動する。加熱装置又は冷却装置の作動は、あらゆるレベルの温度によって引き起こすことができると理解されたい。例示的な実施形態では、熱電デバイス又は温度修正装置を、冷却の場合には１４℃〜３０℃、加熱の場合には３６℃〜４６℃に及ぶ様々な温度レベルで適用することができる。しかしながら、本開示の原理に従ってあらゆる温度レベルを使用して皮膚表面の冷却及び加熱を行うことができると理解されたい。
【００６０】
好ましい実施形態では、熱電デバイス又は温度修正装置が、３３℃〜３４℃の安定した温度で皮膚表面上に軽く載り、又は皮膚表面から離れる。プロセッサ３４は、特定の皮膚温レベルに達すると、温度修正装置を作動させることによって熱刺激を開始する。プロセッサ３４は、温度修正装置が特定のレベルに達すると、空気ポンプを作動させて空気を圧送し、温度修正装置を皮膚に押し付ける。プロセッサ３４は、特定の温度レベルに達すると、温度修正装置及びポンプを停止させて温度修正装置を皮膚から離れるようにする。その後、プロセッサ３４は、温度修正装置の作動、空気ポンプの作動、温度修正装置の停止、空気ポンプの停止を順に繰り返す。従って、温度修正装置は、本明細書では目標温度と呼ぶ特定の温度に加熱又は冷却された後に皮膚と接触する。プロセッサ３４は、皮膚との接触中に温度修正装置を目標温度に維持する。四肢及び／又は身体が所定の温度に達した場合、制御は、体温レベル判定処理４３６から終了処理４４０に進んで処理４２０を終了する。四肢又は身体の所定が未だ温度に達していない場合、制御は、体温レベル判定処理４３６から、新たな加熱位置選択処理４３８に進む。
【００６１】
新たな加熱位置選択処理４３８では、次の加熱サイクルのための位置を選択する。本明細書の他の箇所で説明したように、同じ位置を使用することも、又は異なる位置を使用することもできると理解されたい。次の加熱位置が選択されると、制御は、新たな加熱位置選択処理４３８から所定の休止間隔処理４４２に進む。所定の休止間隔処理４４２では、選択した加熱位置の休止間隔が経過したかどうかを判定する。例えば、温度修正装置によって加熱又は冷却を反復的に付与することに起因する熱損傷の可能性を抑えるために、各位置における熱刺激は、刺激が生じない３分間隔後に繰り返すことができる。ユーザによる温度感覚、熱損傷のリスク及び皮膚温変化の必要性に基づいて、あらゆる間隔を使用することができると理解されたい。温度修正装置による熱刺激は、徐々に行われることが好ましい。例えば、好ましい加熱シーケンスは、３６℃、３７℃、３８℃、３９℃、４０℃、４１℃、４２℃、４３℃及び４４℃であり、冷却の場合には、３２℃、３１℃、３０℃、２９℃、２８℃、２７℃、２６℃、２５℃、２４℃、２３℃、２２℃、２１℃ 、２０℃、１９℃、１８℃、１６℃、１４℃、１２℃のシーケンスを使用する。所定の休止間隔が経過すると、制御は、所定の休止間隔処理４４２から、上述したように機能する、選択した温度修正装置の作動処理４２６に進む。
【００６２】
例示的な実施形態では、（Ｈａｒｇｒａｖｅ  Ｔｅｃｈｎｏｌｏｇｉｅｓ社製のＣＴＳシリーズ、又はＳｍａｒｔ  Ｐｒｏｄｕｃｔｓ社製のＡＰ  Ｍｉｃｒｏ  Ｐｒｅｓｓｕｒｅ  Ｐｕｍｐｓシリーズのマイクロポンプなどの）圧力作動装置によって温度修正装置（例えば、熱電デバイス）に圧力を与え、温度修正装置を皮膚に接触させ、及び／又は皮膚に小さな圧入部を形成させる。温度修正装置は、（圧入部を伴わずに）皮膚に触れるだけで温度修正装置から皮膚に熱エネルギーを伝えることによって皮膚温を変化させると同時に、圧力作動装置（例えば、可膨張式装置）による圧力が機械的刺激受容を刺激することによって熱刺激による痛みを抑制することができると理解されたい。温度修正装置内のサイクル温度の変化に圧力作動装置が後続すると、熱電デバイス及び抵抗器などの温度修正装置の皮膚からの離昇及び皮膚への押し付けが連続して行われるサイクルが再び繰り返される。
【００６３】
好ましい実施形態は、皮膚温が３１℃〜３７℃の、好ましくは３２℃〜３６℃の、さらに好ましくは３３℃〜３５℃の、最も好ましくは３４℃〜３４．５℃のレベルに達するまで温度修正装置の温度を上昇又は低下させるように調整することによって皮膚温を好ましくは３３℃〜３５℃に維持するように適合されたプロセッサを含む。厳寒環境では、ユーザが手動で温度レベルを調整することができ、或いはプロセッサが、外部（環境）温度センサから受け取った入力を介して、より高い目標皮膚温に自動的に温度を調整することができ、一例として、プロセッサは、皮膚温が３３℃〜３９℃の、好ましくは３４℃〜３８℃の、さらに好ましくは３５℃〜３７℃の、最も好ましくは３５．５℃〜３６℃のレベルに達するまで温度修正装置の温度を上昇又は低下させるように調整することによって皮膚温を３５℃〜３６℃に維持するように適合される。酷暑環境では、ユーザが手動で温度レベルを調整することができ、或いはプロセッサが、外部（環境）温度センサから受け取った入力を介して、より低い目標皮膚温に自動的に温度を調整することができ、一例として、プロセッサは、皮膚温が２９℃〜３５℃の、好ましくは３０℃〜３４℃の、さらに好ましくは３１℃〜３３℃の、最も好ましくは３１．５℃〜３２．５℃のレベルに達するまで温度修正装置の温度を上昇又は低下させるように調整することによって皮膚温を３１℃〜３３℃に維持するように適合される。
【００６４】
本明細書の説明から、温度センサ、温度修正装置などの開示した実施形態の要素は、着用型物品の本体上又は本体内に配置されると理解すべきである。また、全ての実施形態を組み合わせて単一の実施形態をもたらすこともできると理解すべきである。さらに、いずれかの実施形態のいずれかの部品を組み合わせて単一の実施形態をもたらすこともできると理解すべきである。さらに、手袋などの手について開示したいずれかの実施形態又は実施形態の一部をシューズ、ソックス及び挿入体の実施形態において使用することもでき、足などの他のいずれかの身体部分について開示した実施形態又は実施形態の一部を他のいずれかの着用型物品の実施形態で使用することもできると理解すべきであり、本開示では、簡潔にするためにこれらの実施形態の組み合わせについては繰り返していない。
【００６５】
本開示の様々な実施形態を図示し説明したが、これらの実施形態は、これらの図及び説明に限定されるものではないと理解されたい。当業者であれば、これらの実施形態を変更し、修正し、さらに応用することができる。従って、これらの実施形態は、上記で図示し説明した詳細に限定されるものではなく、全てのこのような変更及び修正も含む。
【符号の説明】
【００６６】
１０  手袋
１２  手袋本体
１４  温度センサ
１６  温度センサ
１８  温度修正装置
３２  電源
３４  プロセッサ
３６  トランシーバ
３８  電子装置
４０  周囲温度センサ
【図１】
2018509532.tif 000003
【図２】
2018509532.tif 000004
【図３】
2018509532.tif 000005
【図４】
2018509532.tif 000006
【図５】
2018509532.tif 000007
【図６】
2018509532.tif 000008
【図７】
2018509532.tif 000009
【図８】
2018509532.tif 000010
【図９】
2018509532.tif 000011
【図１０】
2018509532.tif 000012
【図１１】
2018509532.tif 000013
【図１２】
2018509532.tif 000014
【図１３】
2018509532.tif 000015
【図１４】
2018509532.tif 000016
【図１５】
2018509532.tif 000017
【図１６】
2018509532.tif 000018
【図１７】
2018509532.tif 000019
【図１８】
2018509532.tif 000020
【図１９】
2018509532.tif 000021
【図２０】
2018509532.tif 000022
【図２１】
2018509532.tif 000023
【図２２】
2018509532.tif 000024
【図２３】
2018509532.tif 000025
【図２４】
2018509532.tif 000026
【図２５】
2018509532.tif 000027
【図２６】
2018509532.tif 000028
【図２７】
2018509532.tif 000029
【図２８】
2018509532.tif 000030
【図２９】
2018509532.tif 000031
【手続補正書】
【提出日】平成28年7月14日(2016.7.14)
【手続補正１】
【補正対象書類名】特許請求の範囲
【補正対象項目名】全文
【補正方法】変更
【補正の内容】
【特許請求の範囲】
【請求項１】
着用型物品であって、
着用型物品本体と、
前記着用型物品本体上又は前記着用型物品本体内に位置して人間の四肢の温度を測定し、前記人間の四肢の前記温度を示す温度信号を送信するように構成された少なくとも１つの温度センサと、
前記人間の四肢に隣接して前記着用型物品本体上又は前記着用型物品本体内に位置し、各々が制御信号を受け取り、該制御信号に基づいて前記人間の四肢の温度修正を行うように構成された複数の温度修正装置と、
前記温度信号を受け取り、該温度信号に基づいて前記人間の四肢が加熱又は冷却を必要としているかどうかを判定し、前記制御信号を所定の期間にわたって前記温度修正装置のうちの第１の温度修正装置に自動的に送信し、前記所定の期間後に前記温度修正装置のうちの前記第１の温度修正装置への前記制御信号を終了させ、その後に前記制御信号を別の所定の期間にわたって前記温度修正装置のうちの第２の温度修正装置に送信し、その後に前記温度修正装置のうちの前記第２の温度修正装置への前記制御信号を終了させるように構成されたプロセッサと、
を備えることを特徴とする着用型物品。
【請求項２】
前記温度修正装置は、前記人間の四肢の冷却又は加熱を自動的に行うように前記プロセッサによって制御される熱電デバイスである、
請求項１に記載の着用型物品。
【請求項３】
前記人間の四肢は手であり、前記着用型物品は手袋である、
請求項１に記載の着用型物品。
【請求項４】
前記複数の温度修正装置のうちの少なくとも１つは、指のみに熱刺激を与えるように前記手袋上に位置する、
請求項３に記載の着用型物品。
【請求項５】
前記複数の温度修正装置は、少なくとも掌に接して前記手袋上に位置する、
請求項３に記載の着用型物品。
【請求項６】
前記複数の温度修正装置は、少なくとも前記手の甲に接して前記手袋上に位置する、
請求項３に記載の着用型物品。
【請求項７】
前記人間の四肢は足であり、前記着用型物品はシューズである、
請求項１に記載の着用型物品。
【請求項８】
前記複数の温度修正装置のうちの少なくとも１つは、足指のみに熱刺激を与えるように前記シューズ上に位置する、
請求項７に記載の着用型物品。
【請求項９】
前記複数の温度修正装置は、少なくとも足裏に接して前記シューズ上に位置する、
請求項７に記載の着用型物品。
【請求項１０】
前記複数の温度修正装置は、少なくとも前記足の甲に接して前記シューズ上に位置する、
請求項７に記載の着用型物品。
【請求項１１】
前記人間の四肢は足であり、前記着用型物品はソックスである、
請求項１に記載の着用型物品。
【請求項１２】
前記複数の温度修正装置のうちの少なくとも１つは、足指のみに熱刺激を与えるように前記ソックス上に位置する、
請求項１１に記載の着用型物品。
【請求項１３】
前記複数の温度修正装置は、少なくとも足裏に接して前記ソックス上に位置する、
請求項１１に記載の着用型物品。
【請求項１４】
前記複数の温度修正装置は、少なくとも前記足の甲に接して前記ソックス上に位置する、
請求項１１に記載の着用型物品。
【請求項１５】
シューズ挿入体又はソックス挿入体をさらに含む、
請求項１に記載の着用型物品。
【請求項１６】
前記複数の温度修正装置のうちの少なくとも１つは、足指のみに熱刺激を与えるように前記挿入体上に位置する、
請求項１５に記載の着用型物品。
【請求項１７】
前記複数の温度修正装置は、少なくとも足裏に接して前記挿入体上に位置する、
請求項１５に記載の着用型物品。
【請求項１８】
前記複数の温度修正装置は、少なくとも前記足の母趾球に接して前記挿入体上に位置する、
請求項１５に記載の着用型物品。
【請求項１９】
前記着用型物品本体上に位置する電源をさらに含む、
請求項１に記載の着用型物品。
【請求項２０】
別個の電子装置と通信するように構成された無線トランシーバ、無線受信機又は無線送信機のうちの１つをさらに含む、
請求項１に記載の着用型物品。
【請求項２１】
前記別個の電子装置は、前記複数の温度修正装置の動作を手動で制御するように構成される、
請求項２０に記載の着用型物品。
【請求項２２】
前記着用型物品の周囲温度を示す信号を前記プロセッサに提供するように構成された周囲温度信号を含む、
請求項１に記載の着用型物品。
【請求項２３】
前記複数の温度修正装置の制御は、前記周囲温度信号に基づいて調整される、
請求項２２に記載の着用型物品。
【請求項２４】
前記四肢は手であり、前記周囲温度センサは指先に位置する、
請求項２２に記載の着用型物品。
【請求項２５】
前記四肢は足であり、前記周囲温度センサは足指上又はその付近に位置する、
請求項２２に記載の着用型物品。
【請求項２６】
着用型物品であって、
着用型物品本体と、
前記着用型物品本体上又は前記着用型物品本体内に位置して人間の四肢の温度を測定し、前記人間の四肢の前記温度を示す温度信号を送信するように構成された少なくとも１つの温度センサと、
前記人間の四肢の第１の側に隣接して前記着用型物品本体上又は前記着用型物品本体内に位置し、各々が制御信号を受け取り、該制御信号に基づいて前記人間の四肢の第１の側の複数の位置の温度修正を行うように構成された複数の温度修正装置と、
前記温度信号を受け取り、該温度信号に基づいて前記人間の四肢が加熱又は冷却を必要としているかどうかを判定し、前記温度信号に少なくとも部分的に基づいて各温度修正装置を個別に制御するように構成されたプロセッサと、
内部空間と、
前記内部空間に隣接して位置する複数の空気室と、
空気ポンプと、
前記空気ポンプを前記複数の空気室の各々に接続する複数の通路と、
を備え、各温度修正装置は、１つの空気室内に位置し、前記空気ポンプは、前記空気室内に空気を圧送して各温度修正装置を前記内部空間に向かう方向に動かして、前記内部空間の容積を減少させるように構成される、
ことを特徴とする着用型物品。
【請求項２７】
前記温度修正装置は、前記人間の四肢の冷却又は加熱を自動的に行うように前記プロセッサによって制御される熱電デバイスである、
請求項２６に記載の着用型物品。
【請求項２８】
前記人間の四肢は手であり、前記着用型物品は手袋である、
請求項２６に記載の着用型物品。
【請求項２９】
前記複数の温度修正装置のうちの少なくとも１つは、指のみに熱刺激を与えるように前記手袋上に位置する、
請求項２８に記載の着用型物品。
【請求項３０】
前記複数の温度修正装置は、少なくとも掌に接して前記手袋上に位置する、
請求項２８に記載の着用型物品。
【請求項３１】
前記複数の温度修正装置は、少なくとも前記手の甲に接して前記手袋上に位置する、
請求項２８に記載の着用型物品。
【請求項３２】
前記人間の四肢は足であり、前記着用型物品はシューズである、
請求項２６に記載の着用型物品。
【請求項３３】
前記複数の温度修正装置のうちの少なくとも１つは、足指のみに熱刺激を与えるように前記シューズ上に位置する、
請求項３２に記載の着用型物品。
【請求項３４】
前記複数の温度修正装置は、少なくとも足裏に接して前記シューズ上に位置する、
請求項３２に記載の着用型物品。
【請求項３５】
前記複数の温度修正装置は、少なくとも前記足の甲に接して前記シューズ上に位置する、
請求項３２に記載の着用型物品。
【請求項３６】
前記人間の四肢は足であり、前記着用型物品はソックスである、
請求項２６に記載の着用型物品。
【請求項３７】
前記複数の温度修正装置のうちの少なくとも１つは、足指のみに熱刺激を与えるように前記ソックス上に位置する、
請求項３６に記載の着用型物品。
【請求項３８】
前記複数の温度修正装置は、少なくとも足裏に接して前記ソックス上に位置する、
請求項３６に記載の着用型物品。
【請求項３９】
前記複数の温度修正装置は、少なくとも前記足の甲に接して前記ソックス上に位置する、
請求項３６に記載の着用型物品。
【請求項４０】
シューズ又はソックスと、前記シューズ又は前記ソックス内に位置することができる挿入体とをさらに含む、
請求項２６に記載の着用型物品。
【請求項４１】
前記複数の温度修正装置のうちの少なくとも１つは、足指のみに熱刺激を与えるように前記挿入体上に位置する、
請求項４０に記載の着用型物品。
【請求項４２】
前記複数の温度修正装置は、少なくとも足裏に接して前記挿入体上に位置する、
請求項４０に記載の着用型物品。
【請求項４３】
前記複数の温度修正装置は、少なくとも前記足の母趾球に接して前記挿入体上に位置する、
請求項４０に記載の着用型物品。
【請求項４４】
前記着用型物品本体上に位置する電源をさらに含む、
請求項２６に記載の着用型物品。
【請求項４５】
別個の電子装置と通信するように構成された無線トランシーバ、無線受信機又は無線送信機のうちの１つをさらに含む、
請求項２６に記載の着用型物品。
【請求項４６】
前記別個の電子装置は、前記複数の温度修正装置の動作を手動で制御するように構成される、
請求項４５に記載の着用型物品。
【請求項４７】
前記着用型物品の周囲温度を示す信号を前記プロセッサに提供するように構成された周囲温度信号を含む、
請求項２６に記載の着用型物品。
【請求項４８】
前記複数の温度修正装置の制御は、前記周囲温度信号に基づいて調整される、
請求項４７に記載の着用型物品。
【請求項４９】
前記四肢は手であり、前記周囲温度センサは指先に位置する、
請求項４７に記載の着用型物品。
【請求項５０】
前記四肢は足であり、前記周囲温度センサは足指上又はその付近に位置する、
請求項４７に記載の着用型物品。
【請求項５１】
前記制御信号は、第１の所定のオフ間隔後のみに前記複数の温度修正装置のうちの前記第１の温度制御装置に再び付与される、
請求項１に記載の着用型物品。
【請求項５２】
後続のオフ間隔が、前記第１の所定のオフ間隔から増加する、
請求項５１に記載の着用型物品。
【請求項５３】
前記プロセッサは、前記温度信号を受け取り、該温度信号に基づいて前記人間の四肢が加熱又は冷却を必要としているかどうかを判定し、前記制御信号を所定の期間にわたって前記温度修正装置のうちの第１の温度修正装置に自動的に送信し、前記所定の期間後に前記温度修正装置のうちの前記第１の温度修正装置への前記制御信号を終了させ、その後に前記制御信号を別の所定の期間にわたって前記温度修正装置のうちの第２の温度修正装置に送信し、その後に前記温度修正装置のうちの前記第２の温度修正装置への前記制御信号を終了させるように構成される、
請求項２６に記載の着用型物品。
【国際調査報告】
2018509532.tif 000032